(57)【特許請求の範囲】
【請求項１】
左右一対のレンズと、
各前記レンズの横方向外側の第１領域に設けられ正面を見たときに視野の外側端部で視認される、対象物に対する頭部の相対的な動きを認識させるための第１視認マークと、を備える
ことを特徴とするスポーツ用眼鏡。
【請求項２】
請求項１に記載のスポーツ用眼鏡であって、
各前記レンズの横方向内側の第２領域に設けられ正面を見たときに視野の内側端部で視認される、対象物に対する頭部の相対的な動きを認識させるための第２視認マークを備える
ことを特徴とするスポーツ用眼鏡。
【請求項３】
請求項２に記載のスポーツ用眼鏡であって、
各前記レンズの縦方向上下に配置され横方向に延びる非視覚領域と、前記非視覚領域の間に配置され横方向に延びる視覚領域と、を備え
前記視認マークは、少なくとも一部が前記視覚領域内に位置する
ことを特徴とするスポーツ用眼鏡。
【請求項４】
請求項２または３に記載のスポーツ用眼鏡であって、
前記第１視認マークの方が前記第２視認マークより面積が大きい
ことを特徴とするスポーツ用眼鏡。
【請求項５】
請求項３に記載のスポーツ用眼鏡であって、
前記視覚領域は、各前記レンズの中央部で縦方向上側にも延びている
ことを特徴とするスポーツ用眼鏡。
【請求項６】
請求項１〜５のいずれか一項に記載のスポーツ用眼鏡であって、
前記視認マークは、左右で色が異なる
ことを特徴とするスポーツ用眼鏡。
【請求項７】
レンズの表面または裏面の所定の位置に貼着可能なフィルム本体と、
前記フィルム本体に設けられ、貼着時に前記レンズの横方向外側の第１領域に対向配置され正面を見たときに視野の外側端部で視認され、対象物に対する頭部の相対的な動きを認識させるための第１視認マークと、を備える
ことを特徴とするスポーツ用眼鏡のレンズ貼着フィルム。
【発明の詳細な説明】
【技術分野】
【０００１】
本発明は、スポーツ用眼鏡およびスポーツ用眼鏡のレンズ貼付フィルムに関する。
【背景技術】
【０００２】
ゴルフでは、スイング時（例えばアドレス、テークバック、ダウンスイング、インパクト、フォロースルー、フィニッシュに分解できる）、インパクトまで頭部を動かさない（ボールを真っ直ぐ見る）ことが良いとされており、インパクト時およびその直後もヘッドアップしないのが良いとされている。
【０００３】
特許文献１には、眼鏡のレンズに水平方向のスリットを設けた眼鏡が記載されている。これにより、目線の傾きや方向を確認し易くなっている。すなわち、頭部の動きを認識するのに役立つ。
【先行技術文献】
【特許文献】
【０００４】
【特許文献１】特開平１０−１６５５５３号公報
【発明の概要】
【発明が解決しようとする課題】
【０００５】
しかし、水平方向のスリットによりインパクト前後のライン（スイング軌道）を視認し易くなるものの、スリットがラインに沿って並行移動して見えるように頭部が少し動いた場合（例えば、テークバック時）には、頭部の動きを視認できないことがある。
【０００６】
そこで、本発明は、より正確に頭の動きを認識できるようにすることを目的とする。
【課題を解決するための手段】
【０００７】
本発明は、上記課題の少なくとも１つを解決するものであるが、その例を挙げるならば、次の通りである。すなわち、本発明の一態様であるスポーツ用眼鏡は、左右一対のレンズと、各前記レンズの横方向外側の第１領域に設けられた第１視認マークと、を備えることを特徴とする。
【０００８】
各前記レンズの横方向内側の第２領域に設けられた第２視認マークを備えていてもよい。
【０００９】
各前記レンズの横方向に延びる視覚領域と非視覚領域、を備え、前記視認マークは、少なくとも一部が前記視覚領域内に位置するものであってもよい。
【００１０】
前記第１視認マークの方が前記第２視認マークより面積が大きくてもよい。
【００１１】
前記視覚領域は、各前記レンズの中央部で縦方向上側にも延びていてもよい。
【００１２】
前記視認マークは、左右で色が異なっていてもよい。
【００１３】
また、本発明の他の態様は、レンズの表面または裏面の所定の位置に貼着可能なフィルム本体と、前記フィルム本体に設けられ、貼着時に前記レンズの横方向外側の第１領域に対向配置される第１視認マークと、を備えることを特徴とするスポーツ用眼鏡のレンズ貼着フィルムであってもよい。
【発明の効果】
【００１４】
本発明によれば、より正確に頭の動きを認識することができる。
【図面の簡単な説明】
【００１５】
【図１】本実施形態に係るスポーツ用眼鏡の概略構成例を示す図である。
【図２】本実施形態に係るスポーツ用眼鏡の視野の例を示す図である。
【図３】ボール、ゴルフクラブヘッド及び視野の関係の例を示す図である。
【図４】本実施形態の変形例に係るスポーツ用眼鏡の概略構成例を示す図である。
【図５】本実施形態の他の変形例に係るスポーツ用眼鏡に貼り付けるレンズ張り付けフィルムの概略構成例を示す図である。
【発明を実施するための形態】
【００１６】
本発明の実施形態の例について、以下、図に基づいて説明する。
【００１７】
一般的に、ゴルフのスイングでは、頭の動きが正しいスイングを身に付ける上で大切になってくる。スイングの最中は、ゴルフグラブに合わせて頭が動かないよう注意する必要があり、アドレスからフォロースルーまでボールを見続けられるのが理想とされている。また、インパクト時およびその直後もヘッドアップしないのが望ましいとされている。ボールを見続けることで、体の軸がぶれにくくなり、力を効率よくボールに伝えることができるためである。
【００１８】
図３は、ボールＢ、ゴルフクラブヘッドＨおよび視野の関係の例を示す図である。図３は、眼鏡のレンズに水平方向のスリットを設けた従来の眼鏡を使用した場合の視野の例を示している。以下では右打ちの場合を例に説明する。
【００１９】
ゴルフクラブヘッドＨを矢印の方向に動かして（図面の右から左）、ゴルフクラブＣの中央にボールＢが当たるように正しいスイングしたときのスリットを通して見える視野が、図３の破線Ａ−Ａで示す範囲とする。この範囲（破線Ａ−Ａ）と垂直な方向（図面の上下）に頭が動いた場合は、ボールＢがスリット視野を超えて移動するためズレを認識しやすい。しかし、例えばテークバック時に、スリットが右方向に並行移動するように頭部が少し動いた場合には、プレイヤーは頭部の動きを視認できないことがある。そこで、本実施形態のスポーツ用眼鏡１は、正確に頭の動きを認識できる構成になっている。
【００２０】
図１は、本実施形態に係るスポーツ用眼鏡１の概略構成例を示す図である。図１（ａ）は、スポーツ用眼鏡１の裏面図、図１（ｂ）は、スポーツ用眼鏡１の表面図である。本実施形態では、スポーツ用眼鏡１を掛けたときに頭頂部側になる方を上側、鼻側になる方を下側として説明する。また、鼻側を内側、耳側を外側として説明する。
【００２１】
スポーツ用眼鏡１は、左右一対のレンズ１０と、左右のレンズ１０を連結するブリッジ２０と、ブリッジ２０近傍に設けられた左右一対のパッド３０と、左右のレンズ１０の外側から略垂直に伸びる左右一対のテンプル４０と、を備えている。左右のレンズ１０を保持するフレームを備えていてもよい。
【００２２】
レンズ１０は、例えば、透明または半透明のプラスチック樹脂、ガラス等から形成される。ただし材料等は特に限定されない。また、ブリッジ２０、パッド３０、及びテンプル４０は、一般的な眼鏡と同じであり、形状や材質は特に限定されない。
【００２３】
本実施形態のレンズ１０は、第１視認マーク１１と、第２視認マーク１２と、視覚領域１３と、非視覚領域１４と、を有している。なお、レンズ１０の横方向外側を第１領域、横方向内側を第２領域と呼ぶ。
【００２４】
第１視認マーク１１は、レンズ１０の横方向外側、すなわちテンプル４０側の第１領域に設けられている。第２視認マーク１２は、レンズ１０の横方向内側、すなわちブリッジ２０側の第２領域に設けられている。第１視認マーク１１および第２視認マーク１２は、使用者がスポーツ用眼鏡１を掛けて前を見たときに、視野の端部に映る位置に配置されている（図２（ａ））。視野の中央付近は少なくともボールＢ全体が見えるようにするためである。
【００２５】
第１視認マーク１１は、後述する視覚領域１３および非視覚領域１４にまたがる位置に設けられる。第２視認マーク１２は、視覚領域１３に設けられる。第１視認マーク１１は、第２視認マーク１２より面積（サイズ）が大きく形成される。第１視認マーク１１は、レンズ１０の外側（テンプル４０側）に設けられ、視野の外側端部に配置されるため、目を動かしても、視線の邪魔になりにくいためである。一方、第２視認マーク１２は、レンズ１０の内側（ブリッジ２０側）に設けられているため、視認し易く、目を少し動かしただけで視線の邪魔になることもあるため、マークのサイズを小さくしている。ただし、マークのサイズは限定されず、第１視認マーク１１と第２視認マーク１２が同じサイズでもよく、第２視認マーク１２が第１視認マーク１１より面積が大きく形成されていてもよい。
【００２６】
第１視認マーク１１及び第２視認マーク１２は、フィルム、紙等で形成され、レンズ１０に貼り付けられる。貼り付け方法は特に限定されず、接着剤等で貼り付けられ、脱落しなければよい。第１視認マーク１１及び第２視認マーク１２は、塗装、蒸着、印刷等により形成されてもよい。
【００２７】
視覚領域１３は、レンズ１０の縦方向中央の位置に横方向に沿って設けられ、非視覚領域１４は、レンズ１０の縦方向上下の位置に横方向に沿って設けられている。すなわち、レンズ１０の非視覚領域１４の間に視覚領域１３が設けられている。レンズ１０を覗くと、レンズ１０中央部分の視覚領域１３はレンズ１０の向こう側を見ることができるが、非視覚領域１４はレンズ１０の向こう側を見ることができないようになっている。
【００２８】
非視覚領域１４は、フィルム、紙等で形成され、レンズ１０に貼り付けられる。貼り付け方法は特に限定されず、接着剤等で貼り付けられ、脱落しなければよい。非視覚領域１４は、塗装、蒸着、印刷等により形成されてもよい。
【００２９】
第１視認マーク１１、第２視認マーク１２、および非視覚領域１４は、レンズ１０の裏面側に設けられるのが好ましい。これにより、スポーツ用眼鏡１を表から見ても通常のスポーツ用眼鏡と区別がつきにくくなり、違和感が少なくなる。また、マークの視認性を上げるため、第１視認マーク１１は、非視覚領域１４の上に重ねて設けるのが好ましい。
【００３０】
図２は、本実施形態に係るスポーツ用眼鏡１の視野の例を示す図である。図２は、プレイヤーの頭頂部側から見た場合を示している。図２（ａ）は、頭が正しい位置にある時のボールＢの見え方、図２（ｂ）は、頭が動いた時のボールＢの見え方を示している。Ｓは、視線を示している。
【００３１】
プレイヤーがスポーツ用眼鏡１を掛けてボールＢを真っ直ぐ見ると図２（ａ）のように見える。ボールＢが、視野の中央に見える。また、左右の第１視認マーク１１が、視野の左右の外側端部に視認できる。利き目が右目であれば、右の第１視認マーク１１の方が強く視認される。左右の第２視認マーク１２は、視野のボールＢより内側端部に視認できる。利き目が右目であれば、右の第２視認マーク１２の方が強く視認される。横方向の帯状の視覚領域１３だけでなく、視認マークを設けることで、ボールＢや対象物に対する頭部の相対的な動きを、より正確に認識することができる。
【００３２】
ここで、利き目が右のプレイヤーがスイングバックして頭が右回転すると、右目の視野において、ボールＢと第２視認マーク１２が互いに近づき、場合によってはボールＢに第２視認マーク１２が重なり、ボールＢが見えにくくなる（図２（ｂ））。ボールＢが見えにくくなることで、プレイヤーは頭が動いたことを認識することができる。横方向の帯状の視覚領域１３がラインに沿って並行移動して見えるように頭部が動いた場合であっても、認識することができる。
【００３３】
以上、本実施形態について説明した。本実施形態によれば、より正確に頭の動きを認識することができる。レンズ１０の横方向に水平に非視覚領域１４を設けただけでなく、レンズ１０の両端に第１視認マーク１１及び第２視認マーク１２を設けたことで、スイング軌道が把握し易くなり、かつ、頭が動いた場合に認識し易くなる。
【００３４】
視認マークの色を左右のレンズで異ならせてもよい。例えば、左側レンズ１０の第１視認マーク１１と第２視認マーク１２を黄色、右側レンズ１０の第１視認マーク１１と第２視認マーク１２をピンクとしてもよい。人は利き目でものを見ているため、視認マークの色を変えることで、利き目を意識し易くなる。また、利き目の色がよく見えるので、頭の動きを把握し易くなり、左右の微妙なズレを相対的に把握することができる。
【００３５】
レンズ１０において第１視認マーク１１と第２視認マーク１２のマークの色を異ならせてもよい。第１視認マーク１１と第２視認マーク１２の色が異なることで、プレイヤーは自分の視線がどこにあるのか把握し易くなる。
【００３６】
第１視認マーク１１、または第２視認マーク１２のいずれか一方がレンズ１０に設けられていてもよい。少なくとも一方の視認マークが設けられていれば、プレイヤーは視認マークを確認することができ、頭の動きを認識することができる。
【００３７】
また、非視覚領域１４は、設けられていなくてもよい。視認マークが設けられていれば、頭の動きを認識することができるからである。
【００３８】
図４は、本実施形態の変形例に係るスポーツ用眼鏡の変形例を示す図である。本変形例では、スポーツ用眼鏡１ａの非視覚領域１４の一部に視覚領域１３ａが設けられている。
【００３９】
具体的には、レンズ１０に設けられた上側の非視覚領域１４が横方向中央付近で２つに分割され、縦方向の視覚領域１３ａが設けられる。視覚領域１３ａと視覚領域１３は、略直角に区切りなく連続した領域になっている。視覚領域１３ａの端部（分割した非視覚領域１４の端部）に沿って縦方向に第３視認マーク１５が設けられる。左側レンズ１０の第３視認マーク１５と右側レンズ１０の第３視認マーク１５の色を異ならせてもよい。
【００４０】
縦方向に視覚領域１３ａを設けたことで、例えば、ボールからグリーン上のフラグまでをボールの後ろから確認する際にラインを確認し易くなる。また、視覚領域１３ａに第３視認マーク１５を設けているため、利き目を意識し易くなっている。
【００４１】
なお、本発明は、スポーツ用眼鏡だけでなく、スポーツ用眼鏡のレンズに貼り付けられるレンズ貼付フィルムとしても提供することができる。例えば、図５に示すように、レンズ貼付フィルムは、レンズ１０の表面または裏面の所定の位置に貼り付け可能なフィルム本体を備える。フィルム本体には、第１視認マーク１１、第２視認マーク１２、視覚領域１３、及び非視覚領域１４に相当する領域が設けられている。フィルム本体の外周形状は、図１に示すレンズ１０の形状に限らず、様々な眼鏡レンズに汎用的に利用できる形状となっているのが好ましい。
【００４２】
以上、本発明の実施形態について説明したが、上記した実施形態は、特許請求の範囲に係る発明を限定するものではない。上記の記載に基づいて、当業者であれば、本発明の追加の効果や種々の変形例を容易に想到できるかもしれないが、本発明の態様は、上述した実施形態に限定されるものではない。特許請求の範囲に規定された内容およびその均等物から導き出される本願発明の概念的な思想と趣旨を逸脱しない範囲で種々の追加、変更および部分的削除が可能である。
【００４３】
本発明は、ゴルフに限らず他のスポーツ用の眼鏡に適用できるし、スポーツに限らない他の用途の眼鏡全般にも適用することできる。レンズ貼付けフィルムについても同様である。また、本発明は、眼鏡やフィルムだけでなく、これらの製造方法、視認マークの配置方法などとしても提供することができる。
【符号の説明】
【００４４】
１：スポーツ用眼鏡、１０：レンズ、１１：第１視認マーク、１２：第２視認マーク、１３、１３ａ：視覚領域、１４：非視覚領域、１５：第３視認マーク、２０：ブリッジ、３０：パッド、４０：テンプル、Ｂ：ボール、Ｅ：目、Ｈ：ゴルフクラブヘッド、Ｓ：視線
【要約】      （修正有）【課題】より正確に頭の動きを認識できるようにする。【解決手段】スポーツ用眼鏡１は、左右一対のレンズ１０と、各レンズの横方向外側の第１領域に設けられた第１視認マーク１１と、を備える。【選択図】図１【図１】
0006764212.tif 000002
【図２】
0006764212.tif 000003
【図３】
0006764212.tif 000004
【図４】
0006764212.tif 000005
【図５】
0006764212.tif 000006